(57)【要約】【課題】工具を使用した位置の調整を不要とし、軸部材とプレート部材とを同軸に容易に位置合わせして組み付けできる治具の実現。【解決手段】バルブユニット１０の駆動機構３９を構成する部品として軸部材３７にプレート部材３６ａを組み付けるための部品組付用治具４０は、外周面にスプリング３３が介装された前記軸部材を保持する本体部４１と、前記本体部に対して、前記軸部材の軸心に対して互いに対称な位置に取り付けられ、前記スプリングの外形に当接して当該軸部材の軸心と前記プレート部材の中心とを位置合わせるガイドプレート４２と、前記ガイドプレートにより位置合わせされた状態で前記プレート部材を前記軸部材に挿入するよう押圧する押圧プレート４３と、を有する。【選択図】図２
2009034752.tif 000002
【特許請求の範囲】
【請求項１】
バルブユニットの駆動機構を構成する部品として軸部材にプレート部材を組み付けるための部品組付用治具であって、
外周面にスプリングが介装された前記軸部材を保持する本体部と、
前記本体部に対して、前記軸部材の軸心に対して互いに対称な位置に取り付けられ、前記スプリングの外形に当接して当該軸部材の軸心と前記プレート部材の中心とを位置合わせるガイドプレートと、
前記ガイドプレートにより位置合わせされた状態で前記プレート部材を前記軸部材に挿入するよう押圧する押圧プレートと、を有することを特徴とする治具。
【請求項２】
前記押圧プレートは、当該ガイドプレートを押圧するカム部と、前記カム部を回転操作するためのハンドル部と、を有することを特徴とする請求項１に記載の治具。
【発明の詳細な説明】
【技術分野】
【０００１】
本発明は、軸部材にプレート部材を組み付けるための部品組付用治具に関する。
【背景技術】
【０００２】
従来の部品組付用治具は、後述するガイドプレートを備えていないため、軸部材と同軸に組み付けられるプレート部材がずれてしまい、最終的に工具を使用して中心位置を合わせる必要があった。
【０００３】
例えば、特許文献１には、高精度が要求されるパーツの組立時に水平及び垂直方向の位置を調整する治具が記載されている。
【特許文献１】特開平９−２９８０３３号公報
【発明の開示】
【発明が解決しようとする課題】
【０００４】
本発明は、工具を使用した位置の調整を不要とし、軸部材とプレート部材とを同軸に容易に位置合わせして組み付けできる治具を実現することである。
【課題を解決するための手段】
【０００５】
上述の目的を達成するため、本発明に係る部品組付用治具は、バルブユニット１０の駆動機構３９を構成する部品として軸部材３７にプレート部材３６ａを組み付けるための部品組付用治具４０であって、外周面にスプリング３３が介装された前記軸部材を保持する本体部４１と、前記本体部に対して、前記軸部材の軸心に対して互いに対称な位置に取り付けられ、前記スプリングの外形に当接して当該軸部材の軸心と前記プレート部材の中心とを位置合わせるガイドプレート４２と、前記ガイドプレートにより位置合わせされた状態で前記プレート部材を前記軸部材に挿入するよう押圧する押圧プレート４３と、を有する。
【０００６】
また、好ましくは、前記押圧プレートは、当該ガイドプレートを押圧するカム部４４と、前記カム部を回転操作するためのハンドル部４５と、を有する。
【発明の効果】
【０００７】
本発明によれば、工具を使用した位置の調整を不要とし、軸部材とプレート部材とを同軸に容易に位置合わせして組み付けできる治具を実現できる。
【発明を実施するための最良の形態】
【０００８】
以下に、本発明の実施の形態について、添付図面を参照して詳細に説明する。
尚、以下に説明する実施の形態は、本発明の実現手段としての一例であり、本発明は、その趣旨を逸脱しない範囲で下記実施形態を修正又は変形したものに適用可能である。
【０００９】
［バルブ駆動機構］
本実施形態のバルブユニット１０は、例えば、ライン上を連続的に搬送される複数の空缶にビールや発泡性飲料等を充填していくフィラーと呼ばれるビール充填装置（不図示）に搭載される。
【００１０】
図１は、本実施形態のバルブ駆動機構を示す正面図（ａ）、（ａ）のｉ−ｉ断面図（ｂ）及び（ａ）の上面図（ｃ）である。
【００１１】
図１に示すように、バルブユニット１０は支持板１２を介してベース部材１に支持される。また、缶口部材１４のアーム部１４ｂには、上方に延びる駆動軸３１が回動自在に連結されている。駆動軸３１は、下部が支持板１２に対して軸受３２を介してスライド可能に支持されている。また、駆動軸３１は、駆動軸３１の外周面に介装されたスプリング３３により下方に付勢されつつ、駆動軸３１の中央部分に取り付けられた駆動ローラ３４が上下に移動するのに連動して上下方向に駆動される。
【００１２】
また、駆動軸３１の上端部には軸受部材３１ａが固定され、軸受部材３１ａにはバルブユニット１０を上下方向に駆動させるオペレーティングレバー３９が回動自在に支持されている。
【００１３】
オペレーティングレバー３９は、駆動ローラ３５が支持されたリンク部材３６と、プレート部材３６ａを介してリンク部材３６が固定され駆動ローラ３５の上下動によりリンク部材３６が揺動して回動する回動軸３７と、回動軸３７の回転を上下動に変換するリンク部材３８と、スプリング３７ａと、を有し、リンク部材３８がバルブユニット１０の上端部に連結されることでバルブが開閉される。
【００１４】
即ち、駆動軸３１が下方の位置Ｐ１に移動することで、缶口部材１４が容器の注入口２に密着し、この状態でバルブを開成することで液体が容器内に注入される。また、駆動軸３１が上位置Ｐ２に移動することで、缶口部材１４が容器の注入口２から離間し、バルブが閉成された状態となり液体の注入が停止される。
【００１５】
［治具の構成］
図２は、本発明に係る実施形態の部品組付用治具の正面図（ａ）及び側断面図（ｂ）である。
【００１６】
本実施形態の部品組付用治具４０は、メンテナンス等のために分解した上記オペレーティングレバー３９を再度組み付ける際に用いられる。
【００１７】
具体的には、本実施形態の部品組付用治具４０は、図２に示すように、回動軸３７の外周部に装着されたスプリング３７ａの外形に合致する円弧形状を有する樹脂材料等で構成された本体部４１と、当該本体部４１に対して、回動軸３７の軸心に対して互いに対称な位置に取り付けられ、上記スプリング３７ａの外形に当接して当該回動軸３７の軸心をプレート部材３６ａの穴部３６ｂの中心に位置合わせするガイドプレート４２と、上記ガイドプレート４２によりガイドされた状態で上記プレート部材３６ａを回動軸３７に挿入する方向に押圧する押圧プレート４３と、を有する。
【００１８】
押圧プレート４３は、円弧状の切欠部４３ａが形成され、カム部４４により軸方向に移動しプレート部材３６ａを押圧する。カム部４４には、プレート部４４を押圧するためにカム部４４を回転操作するためのハンドル部４５と、本体部４１から延びてカム部４４を偏心支持する支持プレート４６と、を有する。
【００１９】
上記本体部４１の円弧形状と押圧プレート４３の切欠部４３ａとは、本体部４１に装着される回動軸３７と同軸となるように設計されている。
【００２０】
［組付手順］
次に、図２を参照して、本実施形態の部品組付用治具４０を用いてオペレーティングレバー３９の回動軸３７にプレート部材３６ａの組付を行う手順について説明する。
【００２１】
図２に示すように、オペレーティングレバー３９の回動軸３７を本体部４１の円弧形状部分に装着し、プレート部材３６ａを支持プレート４６の間に装着すると、回動軸３７の軸心とプレート部材３６ａの穴部３６ｂの中心とが合致するように位置決めされる。この状態で、ハンドル部４５を操作して押圧プレート４３によりプレート部材３６ａをスプリング３７ａの付勢力に抗して回動軸３７側に移動させて挿入する。
【００２２】
このようにして、回動軸３７とプレート部材３６ａの位置決めを容易に行いつつ部品の組付作業を行うことができる。
【００２３】
これにより、工具を使用した位置の調整を不要とし、部品同士を組み付ける際の位置合わせを容易に行うことができる。
【図面の簡単な説明】
【００２４】
【図１】本実施形態のバルブ駆動機構を示す正面図（ａ）、（ａ）のｉ−ｉ断面図（ｂ）及び（ａ）の上面図（ｃ）である。
【図２】本発明に係る実施形態の部品組付用治具の正面図（ａ）及び側断面図（ｂ）である。
【符号の説明】
【００２５】
１０  バルブユニット
１２  支持板
１４  缶口部材
３１  駆動軸
３２  軸受
３３  スプリング
３４，３５  駆動ローラ
３６，３８  リンク部材
３７  回動軸
３９  オペレーティングレバー
４０  部品組付用治具
４１  本体部
４２  ガイドプレート
４３  押圧プレート
４４  カム部
４５  ハンドル部
４６  支持プレート
【図１】
2009034752.tif 000003
【図２】
2009034752.tif 000004